(57)【要約】【課題】インバータの冷却効率を高めると共に、装置の組立性を向上させるインバータの配置構成を提案することを目的とする。【解決手段】発電機４や制御部１３等が区画されて載置されるパッケージ２の機器収納室４０に、複数個のインバータ４３が配設される電力供給装置としてのコージェネレーション装置１において、該インバータ４３を、前記機器収納室４０に形成される取り付け部４４に、背面を対向し、前記パッケージ２の短手方向に並設して取り付けた。【選択図】図６
2005117808.tif 000002
【特許請求の範囲】
【請求項１】
パッケージに、複数個のインバータが配設される電力供給装置において、該インバータは、互いに背面を対向して取り付けられることを特徴とする電力供給装置。
【請求項２】
上面および下面が開口され、かつ、前面の一部が開口された略直方体状の枠体部を備えた取り付け部に、前記インバータが保持されることを特徴とする請求項１記載の電力供給装置。
【請求項３】
前記取り付け部は、電力供給装置の外部から冷却風を送入する通風路が施設され、該通風路の中途部であって、各インバータの略直下に通風口が開口され、該通風路に吸引された冷却風が、前記通風口を介して、各インバータの下方から上方へと送風されることを特徴とする請求項１または２記載の電力供給装置。
【発明の詳細な説明】
【技術分野】
【０００１】
本発明は、コージェネレーション装置等の電力供給装置に配設されるインバータの配置構造に関し、より詳細には、インバータをコンパクトに配置して、該インバータの冷却効率を高める技術に関する。
【背景技術】
【０００２】
病院や工場等においては、電力消費機器（負荷）への送電系統に、外部商用電源の商用電力系統と、発電機の発電電力系統とを接続し、該負荷の需要電力を賄うとともに、発電に伴い発電機で生じる排熱を回収し、該回収熱を利用し水の熱交換を行う、コージェネレーション装置が広く使用されている。かかるコージェネレーション装置は、内部に備えた発電機からの発電電力を、外部商用電力に系統連系させて給電させる際に、発電電力が、コージェネレーション装置内部に備えられたインバータによって、外部商用電力と合わせられて、需要電力になるように制御される。
【０００３】
近年では、コージェネレーション装置の設置・搬入およびメンテナンス等の際の取り扱いを容易にするという観点から、筐体（パッケージ）に全ての機器（エンジン、発電機、インバータ、および熱交換器等）を内装した、パッケージングのコンセプトが提案されている。すなわち、内装される機器の配置構成を単純化・コンパクト化することによって、上記取り扱いを容易なものとするものである。
【０００４】
かかるパッケージングのコージェネレーション装置においては、電送機器であるインバータも、エンジンや発電機といった熱発生源と同一の筐体内に設置されるため、高温の環境下において、インバータの故障等を回避する必要があった。そこで、特に、インバータの配置構成に関し、専用の冷却ファンが設けられたり、熱発生源と同一の空間内に、熱発生源と隔離するための専用の設置ボックスが設けられたりしていた。
【０００５】
また、かかる観点から、例えば特許文献１おいて、開扉体に構成された収納箱を、コージェネレーション装置の一面に開閉自在に配設し、該収納箱にインバータが収納されるようなインバータの配置構造が提案されているところである（特許文献１参照）。具体的には、図１０に示すように、かかるコージェネレーション装置１０１は、略長形に形成された筐体の一側面に、エンジンルーム１０６と隔壁１４１により隔離されるインバータルームとしての機器収納室１４０に、インバータボックスとしての収納箱１４２および該収納箱１４２に配置されるインバータ１４３・１４３が配設されている。該収納箱１４２は、複数のインバータ１４３・１４３・・・を内装するように構成された筐体であり、その一面の開口面からインバータ１４３・１４３・・・が収納可能とされている。該収納箱１４２の筐体を構成する背面１５４に、複数の通風窓１４８・１４８・・・が構成され、該通風窓１４８・１４８・・・から冷却風が送風され、インバータ１４３・１４３・・が冷却される。また、該収納箱１４２は、開閉自在な開扉体として構成されている。
【０００６】
【特許文献１】特開２００２−２４２７６０号公報
【発明の開示】
【発明が解決しようとする課題】
【０００７】
ところで、コージェネレーション装置におけるインバータの配置構成に関し、従来のように、上述の専用の冷却ファンを設ける構成では、製造コストがかかる上に、コージェネレーション装置全体の大型化を伴い、一方で、専用の設置ボックスを設ける構成では、該設置ボックスによって、他の機器のメンテナンスが妨げられるという問題点があった。
【０００８】
確かに、前記特許文献１に記載のインバータの配置構成であれば、上記問題点を解消し、前記収納箱に、上下方向に並設されるため、該コージェネレーション装置のコンパクト化を図ることができ、また、機器収納室に複数のインバータが隣接して配置されるため、収納箱の開閉操作で、容易に全てのインバータについてメンテナンスを行うことができる。
【０００９】
しかしながら、前記特許文献１に記載のコージェネレーション装置は、インバータが上下方向に並設され、冷却風が下方から上方へ導通される構成なので、下方のインバータを通過した冷却風が、上方のインバータを冷却することになり、冷却能力にアンバランスが生じていた。
【００１０】
そこで、本発明においては、コージェネレーション装置等の電力供給装置に関し、前記従来の課題を解決するもので、インバータの冷却効率を高めると共に、装置の組立性を向上させるインバータの配置構成を提案することを目的とするものである。
【課題を解決するための手段】
【００１１】
本発明の解決しようとする課題は以上の如くであり、次にこの課題を解決するための手段を説明する。
【００１２】
すなわち、請求項１においては、パッケージに、複数個のインバータが配設される電力供給装置において、該インバータは、互いに背面を対向して取り付けられるものである。
【００１３】
請求項２においては、請求項１において、上面および下面が開口され、かつ、前面の一部が開口された略直方体状の枠体部を備えた取り付け部に、前記インバータが保持されるものである。
【００１４】
請求項３においては、請求項１または２において、前記取り付け部は、電力供給装置の外部から冷却風を送入する通風路が施設され、該通風路の中途部であって、各インバータの略直下に通風口が開口され、該通風路に吸引された冷却風が、前記通風口を介して、各インバータの下方から上方へと送風されるものである。
【発明の効果】
【００１５】
本発明の効果として、以下に示すような効果を奏する。
【００１６】
請求項１の構成とすることにより、インバータの冷却必要箇所を上下・左右・前後の三方向において集中させることができる。
【００１７】
請求項２の構成とすることにより、インバータを確実に保持することができると同時に、枠体部によって表面を必要以上覆わないため、冷却効率が高い。また、インバータを取り付け部に予め仕組んだ後、電力供給装置に取り付けることも可能なので、該装置全体の組立性が向上する。
【００１８】
請求項３の構成とすることにより、通風口から取り付け部に吸引された冷却風を、該取り付け部に配設される各インバータに、それぞれ同時に、かつ、同条件で冷却風を通風させることができ、該インバータを均等に冷却することができる。
【発明を実施するための最良の形態】
【００１９】
以下、添付図面を参照しながら、電力供給装置の一例として、コージェネレーション装置を挙げて、本発明の実施の形態について説明する。
図１は本発明に係るコージェネレーション装置の正面図、図２は同じく正面斜視図、図３は同じく背面斜視図、図４は同じく左側面図、図５は同じく平面図である。また、図６は取り付け部の正面斜視図、図７は同じく組み立て図、図８は同じく後方斜視図、図９はラジエータ室および機器収納室の境界の正面断面図である。そして、図１０は従来に係るコージェネレーション装置の正面斜視図である。
【００２０】
図１乃至図５に示すように、本実施例に係るコージェネレーション装置１の全体構造については、略直方体に形成された枠体構造のパッケージ２内において、大概して冷却風ダクト室５、エンジン室６、ラジエータ室７、コントロールボックス室１２および機器収納室４０に区分けされた空間が構成されている。該エンジン室６には、エンジン３、該エンジン３により駆動される発電機４、吸気フィルタ８、吸気サイレンサ９、排気ガス熱交換器１７、副サイレンサ１８および排気サイレンサ１９等が配設されており、ラジエータ室７内にはラジエータ１１、ラジエータファン１４、エンジン３への空気供給用の空気入口２３およびダクト２４等が配設されている。
【００２１】
まず、エンジン室６に関し、以下に説明する。
該パッケージ２の下方に、前記エンジン室６が構成されている。該エンジン室６に配設されるエンジン３は、ガスエンジンであり、燃料ガスと空気が混入されることによって起動される。そして、該エンジン３が回転駆動することによって、該エンジン３を連設される発電機４が連動されるのである。なお、本実施例では、エンジン３として、その他ディーゼルタービンエンジン、ガスタービンエンジン等を用いることが可能である。
【００２２】
燃料ガスは、燃料ガス入口２５からガスレギュレータ１０を通じてミキサ１５へ送られ、空気は、前記空気入口２３から、ダクト２４・吸気フィルタ８・吸気サイレンサ９を介して、ミキサ１５へ送られる。また、該エンジン３から排気される排気ガスは、排気ガス熱交換器１７を介して、副サイレンサ１８および排気サイレンサ１９にて消音され、ミストセパレータ２２により、かかる排気ガス中に混入する水分や固形物が除去されて、コージェネレーション装置１の上方から外部へ排出される。
【００２３】
前記エンジン３および発電機４は、略水平方向に並設され、該エンジン３の高さ寸法が、該発電機４の高さ寸法よりも大きくなるように構成されている。そして、該発電機４の上方に生じる余剰の空間に、前記吸気フィルタ８および吸気サイレンサ９が配置されている。このような余剰の空間に、吸気フィルタ８および吸気サイレンサ９を配置することで、エンジン室６内をコンパクトに構成することができるのである。
【００２４】
ここで、コージェネレーション装置１の熱供給システムについて、以下に詳述する。
本実施例において、冷却水ポンプ１６により、エンジン３の冷却水が、該エンジン３・水／水熱交換器２０・ラジエータ１１を循環され、エンジン３の冷却等により得た熱量が、該水／水熱交換器２０を介して、外部に取り出されるような構成とされている。そして、エンジン３の左側方（図１においてエンジン３の右方）であって、コントローラボックス室１２との隔壁４１に水／水熱交換器２０が配設されて（図４参照）、コージェネレーション装置１にて熱交換される低温水は、コントロールボックス室１２の一側にそれぞれ開口した温水入口２６および温水出口２７から送入出される。
【００２５】
該エンジン３を冷却した冷却水は、エンジン出口から図示せぬ第一温調弁へ送出され、該第一温調弁の設定温度以上であれば、水／水熱交換器２０へ案内される。かかる冷却水が、該水／水熱交換器２０内を流れる間に、温水入口２６から供給された低温水が加温され、高温水として温水出口２７から送出されるのである。また、第一温調弁にて冷却水が設定温度以下であれば、該冷却水は、水／水熱交換器２０へは送出されず、直接排気ガス熱交換器１７に案内される。
【００２６】
水／水熱交換器２０を通過した冷却水は、連設される第二温調弁の設定温度よりも高ければ、ラジエータ１１へ案内され、放熱される。該ラジエータ１１にて放熱された冷却水は、排気ガス熱交換器１７を経た後に、エンジン３へ戻される。また、該第二温調弁の設定温度以下であれば、かかる冷却水は、直接排気ガス熱交換器１７に案内される。これは、ラジエータ１１により放熱する必要がなく、放熱すると反って冷却水温が下がり過ぎるからである。
【００２７】
このように構成することで、一定温度以上の冷却水のみが、該水／水熱交換器２０へ案内されるため、安定した熱供給を行うことができる。すなわち、一定温度以下の冷却水は、前記ラジエータ１１へ案内されず、排気ガス熱交換器１７を介することで排気ガス温を下げると共に、冷却水温を一定温度以上となるようにして、エンジン３の性能が低下するのを防止しているのである。
【００２８】
なお、該エンジン室６内には、その他に、エンジン３の蒸発熱により生ずる水蒸気を収集するドレンフィルタ２８や、エンジン３等の作動油等が貯油されるオイルタンク２９等が配設されている（図３参照）。
【００２９】
次に、コントロールボックス室１２に関し、以下に説明する。
前記エンジン室６の左側（図１において右側）には、隔壁４１により隔離されたコントロールボックス室１２が構成れている。該コントロールボックス室１２には、制御装置としてのコントロール基板１３ａや点火基板１３ｂ等が配設される制御部１３、前記温水入口２６・温水出口２７、燃料ガス入口２５、ガスレギュレータ１０およびパッケージ２内へ外気を取り入れるための吸入口３３等がそれぞれ配設されている（図４参照）。
【００３０】
該制御部１３は、前記エンジン室６から、前記隔壁４１によって隔離されることで、エンジン３等の放熱による故障等を防ぐようにしている。また、コントロール基板１３ａは、前記各装置等と通信する通信機能、装置制御に関するデータやプログラムの記憶機能、該データやプログラムを実行するための展開機能および演算機能等を具備し、後述する操作部３８としての操作基板等と、通信バス等によって接続されている。
【００３１】
次に、冷却風ダクト室５に関し、以下に説明する。
前記パッケージ２内の底部であって、前記エンジン室６およびコントロールボックス室１２の下方には、冷却風ダクト室５が構成されている。該冷却風ダクト室５は、パッケージ２内に配設される冷却ファン３１および吸入通路３４を介して、パッケージ２の一側面に開口される前記吸入口３３と連通されている。そして、該冷却ファン３１の吸引力により、該吸入口３３からパッケージ２内に外気が取り込まれ、かかる外気が、冷却風として該冷却風ダクト室５へ送出される構成とされている。
【００３２】
なお、該吸入口３３の外方に、例えば、下方に外気導入口を開口するように構成された外気導入カバー等を取り付けてもよい。かかる外気導入カバー等を取り付けることによって、吸入口３３から外気が取り込まれる際に、塵等が、パッケージ２内に侵入することを防止し、また、パッケージ２内で発生するエンジン３や発電機４等からの騒音が、該吸入口３３から外部へ漏れ出すことを防止することができる。
【００３３】
該冷却風ダクト室５に送出された冷却風は、前記エンジン室６の床面に開口された図示せぬ複数の通風孔を介して、該冷却風ダクト室５からエンジン室６へ送出される。かかる通風孔は、エンジン３および発電機４と、平面視において重なる位置、すなわち、エンジン３および発電機４の略直下に配置され、通風孔とエンジン３および発電機４との距離が短くなるように構成される。このように配置することで、かかる通風孔から放出される冷却風によって、該エンジン３・発電機４の冷却効率を高めることができる。
【００３４】
次に、ラジエータ室７に関し、以下に説明する。
前記エンジン室６の略上方に、ラジエータ室７が構成されている。該ラジエータ室７は、後側面にラジエータ１１が配設され、底面（すなわち、前記エンジン室６の上面）に、通風孔３６が穿設され、該ラジエータ室７およびエンジン室６が通風ダクト３７を介して、連通されている。前記冷却風ダクト室５から、前記通風孔を介してエンジン室６内に移送された冷却風は、エンジン３等を冷却した後、該通風孔３６を介して、ラジエータ室７へ送出されるのである。なお、本実施例においては、該ラジエータ室７には、コージェネレーション装置１の背面に一つのラジエータ１１を配設するが、これに限定するものではなく、複数個配設するようにしてもよい。
【００３５】
該ラジエータ室７の上面には、ラジエータファン１４が配置されている。該ラジエータファン１４は、前記通風孔３６を介してラジエータ室７内に送入された冷却風を吸引し、かかる冷却風をラジエータ１１側へ引き込み、パッケージ２外へ排出する。また、該ラジエータファン１４の吸引力により、外部から外気が取り込まれてラジエータ１１が冷却され、その後ラジエータ１１を冷却した外気が、ラジエータファン１４によって上方へ排出される。上述のように、該ラジエータ１１には、一定温度以上の比較的熱を持った冷却水が循環されるため、該ラジエータファン１４が回転駆動されることで、その放熱が迅速かつ効率よく行われる。
【００３６】
以上のように構成することで、パッケージ２内に取り込んだ外気は、前記吸入口３３→吸入通路３４→冷却ファン３１→冷却風ダクト室５→エンジン室６→通風孔３６→通風ダクト３７→ラジエータ室７→ラジエータファン１４を通過され、パッケージ２内が効率よく冷却される。特に、高温となるエンジン３および発電機４に、パッケージ２内に取り込んだばかりの新しい外気が、下方から十分に供給されるため、高い冷却効果を得て十分な冷却を行うことができる。また、前記冷却ファン３１に加え、ラジエータファン１４も吸引力を発揮するため、取り込まれる通風量が増大され、冷却効果を高めることができる。さらに、通風量が増大されることによって、冷却ファン３１のファン容量を小さくでき、ひいてはコージェネレーション装置１のコンパクト化等を図ることができる。
【００３７】
次に、機器収納室４０に関し、以下に説明する。
図１乃至図５に示すように、前記ラジエータ室７の側方であって、前記コントロールボックス室１２の上方に、隔壁４２で区分けされた機器収納室４０が構成されている。該機器収納室４０内には、交流変換の際に周波数や電圧の出力調整を行うインバータ４３・４３・・・が、インバータ取り付け部４４に固設されている。
【００３８】
該機器収納室４０内に、二つのインバータ４３・４３が、背面を対向するように配設されている。このように、複数（本実施例においては２つ）のインバータ４３・４３を、背面を対向するように機器収納室４０に並設させることで、該インバータ４３・４３の冷却必要箇所を上下・左右・前後の三方向において集中させることができる。すなわち、該機器収納室４４に通風される冷却風を、該機器収納室４４の短手方向に並設されたインバータ４３・４３に、上下方向等から当接させることができるのである。
【００３９】
なお、本実施例においては、前記パッケージ２のコンパクト化も図ることができる。すなわち、パッケージ２内の余剰空間を有効に利用して、例えば、従来においては困難であった、コージェネレーション装置１の長手方向へのコンパクト化等を図ることができるのである。
【００４０】
図１および図６に示すように、該取り付け部４４の正面下方（前側部４５ｂ）には、液晶表示部や各種スイッチ等が配設される操作部３８が取り付けられている。該操作部３８は、コージェネレーション装置１の上下方向の略中央より上方に配設されるため、オペレータ等において、該操作部３８における液晶表示を視認しながらの作業や、メンテナンス作業を容易に行えるようにしている。なお、該インバータ４３・４３を、コージェネレーション装置１の短手方向に並設させると、コージェネレーション装置１の後面側に配設されるインバータ４３の操作を行いにくい。本実施例では、コージェネレーション装置１の前面側に配設されるインバータ４３一台のみで、両方（もしくは複数）のインバータ４３が制御されるように構成され、インバータ４３の設定・変更を容易とし、オペレータ等の操作性を向上させている。
【００４１】
また、本実施例においては、該操作部３８と制御部１３とが、分離して配設され、それぞれが通信回線により接続されている。すなわち、該操作部３８は、パッケージ２の上方に構成される機器収納室４０に、制御部１３は、前述のようにパッケージ２の下方に構成されるコントロールボックス室１２に、それぞれ配設されている。従来は、該制御部１３および操作部３８が、一体に構成されていたため、該操作部３８による操作性を担保するため、かかる操作部３８および制御部１３のレイアウトや、パッケージ２の配置変更に限界があった。本実施例に示すような構成とすることで、該操作部３８をコージェネレーション装置１の上方よりに配置し、制御部１３をこれと分離して、ある程度自由な配置構成とすることができ、パッケージ２のコンパクト化や、レイアウトの変更を容易にすることができる。
【００４２】
ここで、インバータ４３の配置構造に関し、以下に詳述する。
図６乃至図８に示すように、該インバータ４３は、取り付け部４４に載置される固定部材としての枠体部４９・４９に取り付けられる。該枠体部４９は、略直方体のインバータ４３の背面および側面に当接するような形状とされ、矩形状の背部４９ａの両端部が、略直角に屈曲されて側部４９ｂ・４９ｂとされ、略長板状の前部４９ｃが、該側部４９ｂ・４９ｂの前下方に橋設されている。換言すると、該枠体部４９は、上面および下面が開口され、かつ、前面の一部が開口された略直方体に形成されている。該インバータ４３は、該枠体部４９の前上方から取り付けられ、該インバータ４３の背面および側面が、それぞれ前記背部４９ａおよび側部４９ｂに当接され、下部平面が、前記前部４９ｃの上方縁部に当接される。
【００４３】
該枠体部４９・４９に固設されるインバータ４３・４３は、該インバータ４３の背面を対向するように、所定間隔を開けて後述する基部４５の上部平面４５ｃに並設され、かつ、相互に当接して連設されている。このように該枠体部４９を形成することで、取り付け部４４において、インバータ４３の落脱を防止して、確実に保持することができると同時に、枠体部４９が平面視略コ字状に構成されることで、上下方向の通風が容易に行われ、インバータ４３の表面を必要以上覆わないため、冷却効率を高めることができる。また、インバータ４３を取り付け部４４に予め仕組んだ後、該機器収納室４０に取り付けることも可能なので、該コージェネレーション装置１の組立性を向上させることができる。なお、該枠体部４９は、背部４９ａ、即部４９ｂおよび前部４９ｃがそれぞれ一体構成されてもよく、それぞれ、もしくは一部が別途取り付けられるような構成としてもよい。
【００４４】
図６乃至図８に示すように、前記取り付け部４４は、側面視略コ字状の基部４５が、機器収納室４０の底辺および隔壁４２に固着されている。該基部４５の後側部４５ａに、コージェネレーション装置１の背面に開口した通風口４６および通風ダクト４７が、冷却風の吸入路として配設される。該後側部４５ａにおいて、該通風ダクト４７との当接部に冷却ファン４８が配設され、該冷却ファン４８によって、冷却風が、前記通風口４６から、通風ダクト４７を介して基部４５内に吸引される。該基部４５の前側部４５ｂには、前記操作部３８が配設されている。また、該後側部４５ａおよび前側部４５ｂとの間に、遮蔽板５０ａ、５０ｂが橋設され、基部４５内に吸引された冷却風が、該基部４５の左右方向から外部に漏れないような構成とされている（図３および図８参照）。
【００４５】
前記基部４５の上部平面４５ｃには、インバータ４３と平面視において重なる位置、すなわち、該インバータ４３の略直下に、複数（本実施例においては、２つ）の通風孔４５ｄ・４５ｄ・・・が開口されている。該通風孔４５ｄ・４５ｄ・・・によって、前記通風口４６から基部４５に吸引された冷却風が、インバータ４３・４３の下方向に送出される。該通風孔４５ｄ・４５ｄ・・・は、基部４５に配置されるインバータ４３および枠体部４９によって覆われるように形成され、冷却風を漏らすことなくインバータ４３内に送出し、冷却効率を高めるようにしている。
【００４６】
前記通風口４６からコージェネレーション装置１内に送入された冷却風は、まず、通風ダクト４７・冷却ファン４８を介して、前記基部４５に通風される。かかる冷却風は、前記遮蔽板５０ａ・５０ｂによって、前記基部４５の上部平面４５ｃに開口された通風孔４５ｄ・４５ｄに収束され、前記枠体部４９・４９およびインバータ４３・４３の下方に吸引される。本実施例においては、該枠体部４９・４９およびインバータ４３・４３が、上述のように、当接面において密着され、該インバータ４３と枠体部４９との当接面においても、密接するような構成とされている。そのため、かかる冷却風は、インバータ４３・４３の内部を、下方から上方に通風される。換言すると、該取り付け部４４は、冷却風の通風路として、前記通風ダクト４７等だけでなくインバータ４３内部が利用される。
【００４７】
このような構成とすることで、前記通風口４６から取り付け部４４に吸引された冷却風は、風通孔４５ｄ・４５ｄを介して、すべてが漏れなくインバータ４３・４３に送風され、該インバータ４３の冷却効率が高められる。また、該機器収納室４０は、該取り付け部４４に配設された冷却ファン４８によって、インバータ４３に直接冷却風を送風することができるため、従来のように、パッケージ２内に通風ダクト等を延設させる必要がなく、コージェネレーション装置１のコンパクト化を図ることができる。また、前記通風口４６からインバータ４３までの距離が短く、コージェネレーション装置１内部に吸引された冷却風が、直ちにインバータ４３に送風され、インバータ４３の冷却効率が高い。さらに、冷却風は基部４５に一旦吸引されてから通風孔４５ｄ・４５ｄ・・・を介して、インバータ４３に送風されるため、複数（本実施例においては、２つ）のインバータ４３・４３・・・を同時に、かつ、均等に冷却することができる。
【００４８】
また、該取り付け部４４に吸引された冷却風は、次のように前記ラジエータ室７に送出される。図２、図５および図９に示すように、該機器収納室４０と前記ラジエータ室７とは、隔壁４２の上方で連通されており、前記取り付け部４４に供給された冷却風は、インバータ４３の上方から、ラジエータ室７に移送されるように構成される。
【００４９】
具体的には、該機器収容室４０の上方が、長板状の天板５１に覆われ、該天板５１が、壁板５２により被覆されている。前記取り付け部４４に隣接される隔壁４２の上端部が、ラジエータ室７の方向に屈曲され、正面視略Ｌ字状のリブ部４２ａが形成され、壁板５２は、縁部が下方に屈曲され、正面視略Ｌ字状のリブ部５２ａが形成されている。該リブ部４２ａを設けることによって、後述する通風路５３に吸引された冷却風が、機器収納室４０に戻らないように構成されている。なお、本実施例においては、壁板５２の他に別途、天板５１を設けることで、該天板５１と壁板５２との間に空気層を形成させ、機器収納室４０内の断熱性を担保し、例えば、厳冬期において冷却風が露結するのを防止している。
【００５０】
そして、該隔壁４２、天板５１および壁板５２において、該天板５１の右側（図９において左方）縁部から、前記リブ部４２ａまでの長さ寸法がＬ１、および前記リブ部５２ａまでの長さ寸法がＬ２（Ｌ１＜Ｌ２）、となるように形成され、該機器収容室４０とラジエータ室７との境界において、通風路５３が形成されている。該通風路５３は、コージェネレーション装置１の短手方向に沿って形成され、インバータ４３の上方にまで通風された冷却風は、該通風路５３を介して、ラジエータ室７にまで送風される。
【００５１】
このような構成とすることで、前記冷却ファン４８および該インバータ室４３に配設されるラジエータファン１４の吸引力によって、前記インバータ４３の上方に送出された冷却風は、上部空間で温められたまま漂うことなく、該通風路５３を介して、ラジエータ室７内に容易に移送される。また、該ラジエータファン１４によって、前記通風口４６の通風量が増大され、冷却ファン４８のファン容量を小さく構成できる。
【図面の簡単な説明】
【００５２】
【図１】本発明に係るコージェネレーション装置の正面図。
【図２】同じく正面斜視図。
【図３】同じく背面斜視図。
【図４】同じく左側面図。
【図５】同じく平面図。
【図６】取り付け部の正面斜視図。
【図７】同じく組み立て図。
【図８】同じく後方斜視図。
【図９】ラジエータ室および機器収納室の境界の正面断面図。
【図１０】従来に係るコージェネレーション装置の正面斜視図。
【符号の説明】
【００５３】
１、１０１    コージェネレーション装置
２  パッケージ
３    エンジン
４    発電機
５    冷却風ダクト室
６    エンジン室
７    ラジエータ室
４０    機器収納室
４２    隔壁
４３    インバータ
４４    取り付け部
４５    基部
４６    通風口
４７    通風ダクト
４８    冷却ファン
４９    枠体部
【図１】
2005117808.tif 000003
【図２】
2005117808.tif 000004
【図３】
2005117808.tif 000005
【図４】
2005117808.tif 000006
【図５】
2005117808.tif 000007
【図６】
2005117808.tif 000008
【図７】
2005117808.tif 000009
【図８】
2005117808.tif 000010
【図９】
2005117808.tif 000011
【図１０】
2005117808.tif 000012